(57)【要約】      （修正有）【課題】設定項目に対する設定値の変更を受け付ける場合に有益な通知を実行することができる機器設定プログラムおよび電子機器を提供する。【解決手段】ＭＦＰは、ＭＦＰ自身の設定項目に対する設定値の変更を受け付ける設定変更受付手段Ｓ１７１と、設定変更受付手段によって受け付けられた変更の履歴を管理する履歴管理手段Ｓ１７２と、を備える。設定変更受付手段は、利用者から設定値の変更を受け付ける場合に、受け付ける変更の対象の設定項目と同一の設定項目に対する設定値の利用者とは異なる他者による変更が通知対象時間以内に受け付けられたことを示す履歴が履歴管理手段によって管理されているときＳ１６７；ＹＥＳ、他者から設定値の変更を受け付けたことを示す他者変更メッセージを通知するＳ１６８。【選択図】図９
2017016300.tif 000002
【特許請求の範囲】
【請求項１】
電子機器の設定項目に対する設定値の変更を受け付ける設定変更受付手段、および、
前記設定変更受付手段によって受け付けられた変更の履歴を管理する履歴管理手段として前記電子機器を機能させ、
前記設定変更受付手段は、利用者から設定値の変更を受け付ける場合に、受け付ける変更の対象の設定項目と同一の設定項目に対する設定値の前記利用者とは異なる他者による変更が特定の時間以内に受け付けられたことを示す前記履歴が前記履歴管理手段によって管理されているとき、前記他者から設定値の変更を受け付けたことを示す他者変更メッセージを通知することを特徴とする機器設定プログラム。
【請求項２】
前記設定変更受付手段は、前記他者変更メッセージを通知する場合に、設定値の変更の受け付けを続行するか否かの指示を受け付け、
前記設定変更受付手段は、設定値の変更の受け付けを続行する指示を受け付けた場合に、設定値の変更を受け付け、
前記設定変更受付手段は、設定値の変更の受け付けを続行しない指示を受け付けた場合に、設定値の変更の受け付けを中止することを特徴とする請求項１に記載の機器設定プログラム。
【請求項３】
前記設定変更受付手段は、設定値の変更の受け付けを続行する指示に基づいて設定値の変更を受け付けた場合に、前記利用者のログアウト後に設定値を変更前の状態に戻すことを特徴とする請求項２に記載の機器設定プログラム。
【請求項４】
前記設定変更受付手段は、前記利用者から設定値の変更を受け付ける場合に、変更を受け付ける設定値を前記利用者のログアウト後に変更前の状態に戻すか否かの指示を受け付け、
前記設定変更受付手段は、変更前の状態に戻す指示を受け付けた場合に、前記利用者のログアウト後に設定値を変更前の状態に戻し、
前記設定変更受付手段は、変更前の状態に戻さない指示を受け付けた場合に、前記利用者のログアウト前後で設定値を維持することを特徴とする請求項１または請求項２に記載の機器設定プログラム。
【請求項５】
前記他者変更メッセージは、前記他者から設定値の変更を受け付けた時刻に関する情報を含むことを特徴とする請求項１から請求項４までの何れかに記載の機器設定プログラム。
【請求項６】
前記設定変更受付手段は、前記特定の時間の指定を受け付けることを特徴とする請求項１から請求項５までの何れかに記載の機器設定プログラム。
【請求項７】
電子機器自身の設定項目に対する設定値の変更を受け付ける設定変更受付手段と、
前記設定変更受付手段によって受け付けられた変更の履歴を管理する履歴管理手段とを備え、
前記設定変更受付手段は、利用者から設定値の変更を受け付ける場合に、受け付ける変更の対象の設定項目と同一の設定項目に対する設定値の前記利用者とは異なる他者による変更が特定の時間以内に受け付けられたことを示す前記履歴が前記履歴管理手段によって管理されているとき、前記他者から設定値の変更を受け付けたことを示す他者変更メッセージを通知することを特徴とする電子機器。
【発明の詳細な説明】
【技術分野】
【０００１】
本発明は、電子機器の設定項目に対する設定値を変更する機器設定プログラムおよび電子機器に関する。
【背景技術】
【０００２】
従来、同一の利用者によってドキュメントが特定の時間内に設定変更されて再印刷された後、このドキュメントを新たに印刷する利用者に対して、「同一の利用者によってドキュメントが特定の時間内に設定変更されて再印刷された」ことを通知する技術が知られている（例えば、特許文献１参照。）。
【先行技術文献】
【特許文献】
【０００３】
【特許文献１】特開２０１４−２３３８９５号公報
【発明の概要】
【発明が解決しようとする課題】
【０００４】
しかしながら、従来の技術においては、設定項目が考慮されていないので、ドキュメントを新たに印刷する利用者に関係が薄い通知が実行される可能性があるという問題がある。
【０００５】
そこで、本発明は、設定項目に対する設定値の変更を受け付ける場合に有益な通知を実行することができる機器設定プログラムおよび電子機器を提供することを目的とする。
【課題を解決するための手段】
【０００６】
本発明の機器設定プログラムは、電子機器の設定項目に対する設定値の変更を受け付ける設定変更受付手段、および、前記設定変更受付手段によって受け付けられた変更の履歴を管理する履歴管理手段として前記電子機器を機能させ、前記設定変更受付手段は、利用者から設定値の変更を受け付ける場合に、受け付ける変更の対象の設定項目と同一の設定項目に対する設定値の前記利用者とは異なる他者による変更が特定の時間以内に受け付けられたことを示す前記履歴が前記履歴管理手段によって管理されているとき、前記他者から設定値の変更を受け付けたことを示す他者変更メッセージを通知することを特徴とする。
【０００７】
この構成により、本発明の機器設定プログラムは、利用者から設定値の変更を受け付ける場合に、受け付ける変更の対象の設定項目と同一の設定項目に対する設定値の他者による変更が特定の時間以内に受け付けられているとき、他者変更メッセージを通知するので、設定項目に対する設定値の変更を受け付ける場合に有益な通知を実行することができる。
【０００８】
また、本発明の機器設定プログラムにおいて、前記設定変更受付手段は、前記他者変更メッセージを通知する場合に、設定値の変更の受け付けを続行するか否かの指示を受け付け、前記設定変更受付手段は、設定値の変更の受け付けを続行する指示を受け付けた場合に、設定値の変更を受け付け、前記設定変更受付手段は、設定値の変更の受け付けを続行しない指示を受け付けた場合に、設定値の変更の受け付けを中止しても良い。
【０００９】
この構成により、本発明の機器設定プログラムは、他者変更メッセージを通知した後に利用者の指示に応じて設定値の変更の受け付けを中止するので、他者による変更内容を利用者に優先させることができる。
【００１０】
また、本発明の機器設定プログラムにおいて、前記設定変更受付手段は、設定値の変更の受け付けを続行する指示に基づいて設定値の変更を受け付けた場合に、前記利用者のログアウト後に設定値を変更前の状態に戻しても良い。
【００１１】
この構成により、本発明の機器設定プログラムは、設定値の変更の受け付けを続行する指示に基づいて設定値の変更を受け付けた場合に、利用者のログアウト後に設定値を変更前の状態に戻すので、利用者のログアウト後の他者による設定値の再変更の必要性を低減することができる。
【００１２】
また、本発明の機器設定プログラムにおいて、前記設定変更受付手段は、前記利用者から設定値の変更を受け付ける場合に、変更を受け付ける設定値を前記利用者のログアウト後に変更前の状態に戻すか否かの指示を受け付け、前記設定変更受付手段は、変更前の状態に戻す指示を受け付けた場合に、前記利用者のログアウト後に設定値を変更前の状態に戻し、前記設定変更受付手段は、変更前の状態に戻さない指示を受け付けた場合に、前記利用者のログアウト前後で設定値を維持しても良い。
【００１３】
この構成により、本発明の機器設定プログラムは、利用者から設定値の変更を受け付ける場合に、利用者の指示に応じて利用者のログアウト後に設定値を変更前の状態に戻すので、利用者のログアウト後の他者による設定値の再変更の必要性を低減することができる。
【００１４】
また、本発明の機器設定プログラムにおいて、前記他者変更メッセージは、前記他者から設定値の変更を受け付けた時刻に関する情報を含んでも良い。
【００１５】
この構成により、本発明の機器設定プログラムは、どの程度前の時間に他者から設定値の変更を受け付けたかを利用者に認識させることができるので、他者変更メッセージの有益性を向上させることができる。
【００１６】
また、本発明の機器設定プログラムにおいて、前記設定変更受付手段は、前記特定の時間の指定を受け付けても良い。
【００１７】
この構成により、本発明の機器設定プログラムは、他者変更メッセージを通知するための条件を利用者に指示させることができるので、他者変更メッセージの有益性を向上させることができる。
【００１８】
本発明の電子機器は、電子機器自身の設定項目に対する設定値の変更を受け付ける設定変更受付手段と、前記設定変更受付手段によって受け付けられた変更の履歴を管理する履歴管理手段とを備え、前記設定変更受付手段は、利用者から設定値の変更を受け付ける場合に、受け付ける変更の対象の設定項目と同一の設定項目に対する設定値の前記利用者とは異なる他者による変更が特定の時間以内に受け付けられたことを示す前記履歴が前記履歴管理手段によって管理されているとき、前記他者から設定値の変更を受け付けたことを示す他者変更メッセージを通知することを特徴とする。
【００１９】
この構成により、本発明の電子機器は、利用者から設定値の変更を受け付ける場合に、受け付ける変更の対象の設定項目と同一の設定項目に対する設定値の他者による変更が特定の時間以内に受け付けられているとき、他者変更メッセージを通知するので、設定項目に対する設定値の変更を受け付ける場合に有益な通知を実行することができる。
【発明の効果】
【００２０】
本発明の機器設定プログラムおよび電子機器は、設定項目に対する設定値の変更を受け付ける場合に有益な通知を実行することができる。
【図面の簡単な説明】
【００２１】
【図１】本発明の第１の実施の形態に係る機器設定システムのブロック図である。
【図２】図１に示すＭＦＰのブロック図である。
【図３】図２に示す設定情報の一例を示す図である。
【図４】図２に示す設定履歴情報の一例を示す図である。
【図５】利用者がログインする場合の図２に示すＭＦＰの動作のフローチャートである。
【図６】図５に示す動作によって表示されるログイン画面の一例を示す図である。
【図７】他者変更メッセージの通知の設定を実行する場合の図２に示すＭＦＰの動作のフローチャートである。
【図８】図７に示す動作によって表示される通知設定画面の一例を示す図である。
【図９】設定値の変更を受け付ける場合の図２に示すＭＦＰの動作のフローチャートである。
【図１０】図９に示す動作によって表示される設定画面の一例を示す図である。
【図１１】図１０に示す設定画面によって指定された設定値の一例を示す図である。
【図１２】図９に示す動作によって表示される他者変更メッセージの一例を示す図である。
【図１３】本発明の第２の実施の形態に係るＭＦＰのブロック図である。
【図１４】図１３に示すログイン時設定情報の一例を示す図である。
【図１５】図１３に示すログアウト用情報の一例を示す図である。
【図１６】利用者がログインする場合の図１３に示すＭＦＰの動作のフローチャートである。
【図１７】設定値の変更を受け付ける場合の図１３に示すＭＦＰの動作のフローチャートである。
【図１８】図１７に示す動作によって表示される設定変更メッセージの一例を示す図である。
【図１９】利用者がログアウトする場合の図１３に示すＭＦＰの動作のフローチャートである。
【図２０】設定値の変更を受け付ける場合の図１３に示すＭＦＰの動作であって、図１７に示す動作とは異なる動作のフローチャートである。
【発明を実施するための形態】
【００２２】
以下、本発明の実施の形態について、図面を用いて説明する。
【００２３】
（第１の実施の形態）
まず、第１の実施の形態に係る機器設定システムの構成について説明する。
【００２４】
図１は、本実施の形態に係る機器設定システム１０のブロック図である。
【００２５】
図１に示すように、機器設定システム１０は、電子機器としてのＭＦＰ（Ｍｕｌｔｉｆｕｎｃｔｉｏｎ  Ｐｅｒｉｐｈｅｒａｌ）２０と、ＭＦＰ２０の設定項目に対する設定値の変更を指示するための複数のコンピューター３０とを備えている。ＭＦＰ２０と、コンピューター３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２６】
図２は、ＭＦＰ２０のブロック図である。
【００２７】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２８】
記憶部２７は、ＭＦＰ２０の設定項目に対する設定値を変更する機器設定プログラム２７ａを記憶している。機器設定プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ２０に追加でインストールされても良いし、ネットワーク１１上からＭＦＰ２０に追加でインストールされても良い。
【００２９】
記憶部２７は、ＭＦＰ２０の設定項目に対する設定値を示す設定情報２７ｂと、ＭＦＰ２０の設定項目に対する設定値の変更の履歴を示す設定履歴情報２７ｃとを記憶している。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００３１】
制御部２８は、記憶部２７に記憶されている機器設定プログラム２７ａを実行することによって、ＭＦＰ２０の設定項目に対する設定値の変更を受け付ける設定変更受付手段２８ａ、および、設定変更受付手段２８ａによって受け付けられた変更の履歴を管理する履歴管理手段２８ｂとして機能する。
【００３２】
図３は、設定情報２７ｂの一例を示す図である。
【００３３】
図３に示すように、設定情報２７ｂは、ＭＦＰ２０の設定項目と、設定項目に対する設定値との組み合わせを示す情報である。
【００３４】
図３に示す設定情報２７ｂには、ＭＦＰ２０の設定項目として、例えば、スリープのレベルを設定するための「Ｓｌｅｅｐ  Ｌｅｖｅｌ」と、ネットワーク１１（図１参照。）経由での外部の装置との通信の機能をスリープモード中にスリープさせるか否かを設定するための「Ｎｅｔｗｏｒｋ」と、ファックス通信の機能をスリープモード中にスリープさせるか否かを設定するための「ＦＡＸ」と、ＵＳＢケーブル経由での外部の装置との通信の機能をスリープモード中にスリープさせるか否かを設定するための「ＵＳＢ  Ｃａｂｌｅ」と、ＭＦＰ２０に対する最後の操作からスリープモードに移行するまでの時間を設定するための「Ｓｌｅｅｐ  Ｔｉｍｅｒ」と、ＭＦＰ２０に対する最後の操作からスリープモードより節電効果が低い低電力モードに移行するまでの時間を設定するための「Ｌｏｗ  Ｐｏｗｅｒ  Ｔｉｍｅｒ」とが含まれている。
【００３５】
設定項目「Ｓｌｅｅｐ  Ｌｅｖｅｌ」には、通常モードへの復帰に必要な時間が短いスリープモードを示す「Ｑｕｉｃｋ  Ｒｅｃｏｖｅｒｙ」と、「Ｑｕｉｃｋ  Ｒｅｃｏｖｅｒｙ」より通常モードへの復帰に必要な時間が長いが節電効果が高いスリープモードを示す「Ｅｎｅｒｇｙ  Ｓａｖｅｒ」との何れか一方が設定値として設定可能である。
【００３６】
設定項目「Ｎｅｔｗｏｒｋ」には、ネットワーク１１経由での外部の装置との通信の機能をスリープモード中にスリープさせないことを示す「Ｏｎ」と、ネットワーク１１経由での外部の装置との通信の機能をスリープモード中にスリープさせることを示す「Ｏｆｆ」との何れか一方が設定値として設定可能である。
【００３７】
設定項目「ＦＡＸ」には、ファックス通信の機能をスリープモード中にスリープさせないことを示す「Ｏｎ」と、ファックス通信の機能をスリープモード中にスリープさせることを示す「Ｏｆｆ」との何れか一方が設定値として設定可能である。
【００３８】
設定項目「ＵＳＢ  Ｃａｂｌｅ」には、ＵＳＢケーブル経由での外部の装置との通信の機能をスリープモード中にスリープさせないことを示す「Ｏｎ」と、ＵＳＢケーブル経由での外部の装置との通信の機能をスリープモード中にスリープさせることを示す「Ｏｆｆ」との何れか一方が設定値として設定可能である。
【００３９】
設定項目「Ｓｌｅｅｐ  Ｔｉｍｅｒ」には、ＭＦＰ２０に対する最後の操作からスリープモードに移行するまでの時間が設定値として設定可能である。
【００４０】
設定項目「Ｌｏｗ  Ｐｏｗｅｒ  Ｔｉｍｅｒ」には、ＭＦＰ２０に対する最後の操作から低電力モードに移行するまでの時間が設定値として設定可能である。
【００４１】
図４は、設定履歴情報２７ｃの一例を示す図である。
【００４２】
図４に示すように、設定履歴情報２７ｃは、ＭＦＰ２０の設定項目と、設定項目に対する最新の設定値の設定者と、設定項目に対する最新の設定値の設定時刻との組み合わせを示す情報である。
【００４３】
次に、ＭＦＰ２０の動作について説明する。
【００４４】
まず、利用者がログインする場合のＭＦＰ２０の動作について説明する。
【００４５】
図５は、利用者がログインする場合のＭＦＰ２０の動作のフローチャートである。
【００４６】
利用者がコンピューター３０を介してログイン情報の受け付けをＭＦＰ２０に要求すると、ＭＦＰ２０の設定変更受付手段２８ａは、図５に示す動作を実行する。
【００４７】
図５に示すように、設定変更受付手段２８ａは、ログイン情報を受け付けるためのログイン画面のウェブページを準備する（Ｓ１０１）。したがって、コンピューター３０は、設定変更受付手段２８ａによって準備されたウェブページをウェブブラウザーで開くことによってコンピューター３０の表示部に図６に示すようなログイン画面４０を表示させる。利用者は、コンピューター３０の操作部を介してログイン画面４０を操作することができる。
【００４８】
図６は、ログイン画面４０の一例を示す図である。
【００４９】
図６に示すように、ログイン画面４０には、利用者名が入力されるためのテキストボックス４１と、パスワードが入力されるためのテキストボックス４２と、テキストボックス４１に入力された利用者名およびテキストボックス４２に入力されたパスワードの組み合わせでＭＦＰ２０にログインするためのログインボタン４３とが含まれている。
【００５０】
図５に示すように、ＭＦＰ２０の設定変更受付手段２８ａは、Ｓ１０１の処理の後、ログイン画面４０のログインボタン４３が押されたと判断するまで、ログインボタン４３が押されたか否かを判断する（Ｓ１０２）。
【００５１】
設定変更受付手段２８ａは、ログインボタン４３が押されたとＳ１０２において判断すると、ログインボタン４３が押された時点でテキストボックス４１に入力されていた利用者名と、ログインボタン４３が押された時点でテキストボックス４２に入力されていたパスワーとに基づいて、利用者の認証を実行する（Ｓ１０３）。
【００５２】
次いで、設定変更受付手段２８ａは、認証が成功したか否かを判断する（Ｓ１０４）。
【００５３】
設定変更受付手段２８ａは、認証が失敗したとＳ１０４において判断すると、Ｓ１０１の処理を実行する。一方、設定変更受付手段２８ａは、認証が成功したとＳ１０４において判断すると、利用者のログインを許可して（Ｓ１０５）、図５に示す動作を終了する。
【００５４】
なお、ＭＦＰ２０は、ネットワーク１１経由でログインを要求してきた複数の利用者のそれぞれに対して同時期にログインを許可している状態になることが可能である。
【００５５】
次に、他者から設定値の変更を受け付けたことを示す他者変更メッセージの通知の設定を実行する場合のＭＦＰ２０の動作について説明する。
【００５６】
図７は、他者変更メッセージの通知の設定を実行する場合のＭＦＰ２０の動作のフローチャートである。
【００５７】
利用者がコンピューター３０を介して他者変更メッセージの通知の設定の受け付けをＭＦＰ２０に要求すると、ＭＦＰ２０の設定変更受付手段２８ａは、図７に示す動作を実行する。
【００５８】
図７に示すように、設定変更受付手段２８ａは、他者変更メッセージの通知の設定を受け付けるための通知設定画面のウェブページを準備する（Ｓ１３１）。したがって、コンピューター３０は、設定変更受付手段２８ａによって準備されたウェブページをウェブブラウザーで開くことによってコンピューター３０の表示部に図８に示すような通知設定画面５０を表示させる。利用者は、コンピューター３０の操作部を介して通知設定画面５０を操作することができる。
【００５９】
図８は、通知設定画面５０の一例を示す図である。
【００６０】
図８に示すように、通知設定画面５０には、他者変更メッセージを通知するか否かを指定するためのラジオボタン５１ａおよび５１ｂと、他者から設定値の変更を受け付けた時点からの時間がどの程度であれば他者変更メッセージを通知するかを指定するためのプルダウンメニュー５２と、ラジオボタン５１ａ、ラジオボタン５１ｂおよびプルダウンメニュー５２によって指定された設定を受け付けるためのＯＫボタン５３とが含まれている。ラジオボタン５１ａは、他者変更メッセージを通知することを指定するためのボタンである。ラジオボタン５１ｂは、他者変更メッセージを通知しないことを指定するためのボタンである。ラジオボタン５１ａおよび５１ｂは、常に何れか一方のみが選択された状態になっている。プルダウンメニュー５２は、時間を指定するためのメニューである。プルダウンメニュー５２は、ラジオボタン５１ａが選択された状態になっている場合のみに表示されても良い。
【００６１】
図７に示すように、ＭＦＰ２０の設定変更受付手段２８ａは、Ｓ１３１の処理の後、通知設定画面５０のＯＫボタン５３が押されたと判断するまで、ＯＫボタン５３が押されたか否かを判断する（Ｓ１３２）。
【００６２】
設定変更受付手段２８ａは、ＯＫボタン５３が押されたとＳ１３２において判断すると、ＯＫボタン５３が押された時点におけるラジオボタン５１ａおよび５１ｂによる指定内容を、他者変更メッセージを通知するか否かを示す設定項目の設定値として設定情報２７ｂに記憶させるとともに、ＯＫボタン５３が押された時点でプルダウンメニュー５２で指定されていた時間（以下「通知対象時間」と言う。）を、他者変更メッセージを通知する場合の通知の実行条件を示す設定項目の設定値として設定情報２７ｂに記憶させて（Ｓ１３３）、図７に示す動作を終了する。
【００６３】
次に、設定値の変更を受け付ける場合のＭＦＰ２０の動作について説明する。
【００６４】
図９は、設定値の変更を受け付ける場合のＭＦＰ２０の動作のフローチャートである。
【００６５】
利用者がコンピューター３０を介してＭＦＰ２０の何れかの設定項目に対する設定値の変更の受け付けをＭＦＰ２０に要求すると、ＭＦＰ２０の設定変更受付手段２８ａは、図９に示す動作を実行する。
【００６６】
図９に示すように、設定変更受付手段２８ａは、指定された設定項目に対する設定値の変更を受け付けるための設定画面のウェブページを準備する（Ｓ１６１）。したがって、コンピューター３０は、設定変更受付手段２８ａによって準備されたウェブページをウェブブラウザーで開くことによってコンピューター３０の表示部に図１０に示すような設定画面６０を表示させる。
【００６７】
図１０は、設定画面６０の一例を示す図である。
【００６８】
図１０に示す設定画面６０は、ＭＦＰ２０の省電力に関する設定項目に対する設定値の変更を受け付けるための画面である。図１０に示すように、設定画面６０には、設定項目「Ｓｌｅｅｐ  Ｌｅｖｅｌ」に対する設定値の変更を受け付けるためのラジオボタン６１ａおよび６１ｂと、設定項目「Ｎｅｔｗｏｒｋ」に対する設定値の変更を受け付けるためのラジオボタン６２ａおよび６２ｂと、設定項目「ＦＡＸ」に対する設定値の変更を受け付けるためのラジオボタン６３ａおよび６３ｂと、設定項目「ＵＳＢ  Ｃａｂｌｅ」に対する設定値の変更を受け付けるためのラジオボタン６４ａおよび６４ｂと、設定項目「Ｓｌｅｅｐ  Ｔｉｍｅｒ」に対する設定値の変更を受け付けるためのプルダウンメニュー６５と、設定項目「Ｌｏｗ  Ｐｏｗｅｒ  Ｔｉｍｅｒ」に対する設定値の変更を受け付けるためのプルダウンメニュー６６と、ラジオボタン６１ａ、６１ｂ、６２ａ、６２ｂ、６３ａ、６３ｂ、６４ａ、６４ｂおよびプルダウンメニュー６５、６６によって指定された設定を受け付けるためのＯＫボタン６７とが含まれている。ラジオボタン６１ａおよび６１ｂは、常に何れか一方のみが選択された状態になっている。ラジオボタン６２ａおよび６２ｂと、ラジオボタン６３ａおよび６３ｂと、ラジオボタン６４ａおよび６４ｂとについても同様である。プルダウンメニュー６５および６６は、それぞれ時間を指定するためのメニューである。
【００６９】
図９に示すように、ＭＦＰ２０の設定変更受付手段２８ａは、Ｓ１６１の処理の後、設定画面６０のＯＫボタン６７が押されたと判断するまで、ＯＫボタン６７が押されたか否かを判断する（Ｓ１６２）。
【００７０】
設定変更受付手段２８ａは、ＯＫボタン６７が押されたとＳ１６２において判断すると、ＯＫボタン６７が押された時点におけるラジオボタン６１ａ、６１ｂ、６２ａ、６２ｂ、６３ａ、６３ｂ、６４ａ、６４ｂおよびプルダウンメニュー６５、６６による指定内容と、設定情報２７ｂにおける設定内容とを比較して、設定値が変更される設定項目を特定する（Ｓ１６３）。
【００７１】
次いで、設定変更受付手段２８ａは、設定値が変更される設定項目が存在するか否かを、Ｓ１６３の処理の結果に基づいて判断する（Ｓ１６４）。
【００７２】
設定変更受付手段２８ａは、設定値が変更される設定項目が存在しないとＳ１６４において判断すると、図９に示す動作を終了する。
【００７３】
設定変更受付手段２８ａは、設定値が変更される設定項目が存在するとＳ１６４において判断すると、他者変更メッセージを通知することが設定情報２７ｂに設定されているか否かを判断する（Ｓ１６５）。
【００７４】
設定変更受付手段２８ａは、他者変更メッセージを通知することが設定されているとＳ１６５において判断すると、設定値が変更される設定項目に、設定値を変更する利用者とは異なる他者による設定値の変更が受け付けられている設定項目が存在するか否かを設定履歴情報２７ｃに基づいて判断する（Ｓ１６６）。
【００７５】
設定変更受付手段２８ａは、他者による設定値の変更が受け付けられている設定項目が存在するとＳ１６６において判断すると、設定値が変更される設定項目のうち、他者による設定値の変更が受け付けられている設定項目に、現時点より過去の通知対象時間以内に設定値の変更が受け付けられている設定項目が存在するか否かを設定履歴情報２７ｃに基づいて判断する（Ｓ１６７）。
【００７６】
設定変更受付手段２８ａは、通知対象時間以内に設定値の変更が受け付けられている設定項目が存在するとＳ１６７において判断すると、設定画面６０のＯＫボタン６７が押されたコンピューター３０に他者変更メッセージを通知する（Ｓ１６８）。具体的には、設定変更受付手段２８ａは、他者変更メッセージを通知するためのウェブページを生成する。したがって、コンピューター３０は、設定変更受付手段２８ａによって準備されたウェブページをウェブブラウザーで開くことによってコンピューター３０の表示部に他者変更メッセージを表示させる。
【００７７】
例えば利用者「Ｕｓｅｒ０１」が設定画面６０でＯＫボタン６７を押した時点（以下「現時点」とする。）が「２０１５年５月３１日１３時３０分」であるものとする。そして、現時点において指定されている設定値が図１１に示すものであるものとする。また、設定情報２７ｂ、設定履歴情報２７ｃがそれぞれ図３、図４に示すものであるものとする。また、他者変更メッセージを通知することと、通知対象時間が２０分であることとが設定情報２７ｂに設定されているものとする。ここで、図３に示す設定情報２７ｂと、図１１に示す設定値とにおいて、設定値が互いに異なる設定項目は、「Ｓｌｅｅｐ  Ｌｅｖｅｌ」、「Ｎｅｔｗｏｒｋ」および「ＦＡＸ」である。したがって、設定値が変更される設定項目は、図３に示す設定情報２７ｂと、図１１に示す設定値との差分、すなわち、「Ｓｌｅｅｐ  Ｌｅｖｅｌ」、「Ｎｅｔｗｏｒｋ」および「ＦＡＸ」であることが分かる。そして、図４に示す設定履歴情報２７ｃによれば、「Ｓｌｅｅｐ  Ｌｅｖｅｌ」、「Ｎｅｔｗｏｒｋ」および「ＦＡＸ」のうち、「Ｓｌｅｅｐ  Ｌｅｖｅｌ」のみが利用者「Ｕｓｅｒ０１」自身によって設定値の変更が受け付けられている設定項目であることが分かる。すなわち、「Ｓｌｅｅｐ  Ｌｅｖｅｌ」、「Ｎｅｔｗｏｒｋ」および「ＦＡＸ」のうち、他者による設定値の変更が受け付けられている設定項目は、「Ｎｅｔｗｏｒｋ」および「ＦＡＸ」であることが分かる。ここで、「Ｎｅｔｗｏｒｋ」は、図４に示す設定履歴情報２７ｃによれば、設定時刻が「２０１５年５月０１日１１時００分」であるので、現時点「２０１５年５月３１日１３時３０分」より３０日以上前に設定値の変更が受け付けられていることが分かる。また、「ＦＡＸ」は、図４に示す設定履歴情報２７ｃによれば、設定時刻が「２０１５年５月３１日１３時２５分」であるので、現時点「２０１５年５月３１日１３時３０分」より５分前に設定値の変更が受け付けられていることが分かる。すなわち、「Ｎｅｔｗｏｒｋ」および「ＦＡＸ」のうち、現時点より過去の通知対象時間「２０分」以内に設定値の変更が受け付けられている設定項目は、「ＦＡＸ」のみであることが分かる。そして、設定項目「ＦＡＸ」は、上述したように、現時点より５分前に設定値の変更が受け付けられている。したがって、設定変更受付手段２８ａは、例えば図１２に示す他者変更メッセージ７０を生成する。
【００７８】
図１２に示す他者変更メッセージ７０には、設定値の変更の受け付けを続行する指示を受け付けるためのＯＫボタン７１と、設定値の変更の受け付けを続行しない指示を受け付けるためのキャンセルボタン７２とが含まれている。利用者は、コンピューター３０の操作部を介してＯＫボタン７１またはキャンセルボタン７２を押すことができる。
【００７９】
設定変更受付手段２８ａは、Ｓ１６８の処理の後、他者変更メッセージ７０のキャンセルボタン７２が押されたか否かを判断する（Ｓ１６９）。
【００８０】
設定変更受付手段２８ａは、キャンセルボタン７２が押されていないとＳ１６９において判断すると、他者変更メッセージ７０のＯＫボタン７１が押されたか否かを判断する（Ｓ１７０）。
【００８１】
設定変更受付手段２８ａは、ＯＫボタン７１が押されていないとＳ１７０において判断すると、Ｓ１６９の処理を実行する。
【００８２】
設定変更受付手段２８ａは、他者変更メッセージを通知することが設定されていないとＳ１６５において判断するか、他者による設定値の変更が受け付けられている設定項目が存在しないとＳ１６６において判断するか、通知対象時間以内に設定値の変更が受け付けられている設定項目が存在しないとＳ１６７において判断するか、他者変更メッセージ７０のＯＫボタン７１が押されたとＳ１７０において判断すると、設定値の変更を設定情報２７ｂに反映する（Ｓ１７１）。
【００８３】
次いで、履歴管理手段２８ｂは、Ｓ１７１において反映された変更内容を設定履歴情報２７ｃに反映させて（Ｓ１７２）、図９に示す動作を終了する。
【００８４】
設定変更受付手段２８ａは、他者変更メッセージ７０のキャンセルボタン７２が押されたとＳ１６９において判断すると、設定値の変更の受け付け（Ｓ１７１）を中止して、図９に示す動作を終了する。
【００８５】
以上に説明したように、ＭＦＰ２０は、利用者から設定値の変更を受け付ける場合に、受け付ける変更の対象の設定項目と同一の設定項目に対する設定値の他者による変更が通知対象時間以内に受け付けられているとき（Ｓ１６６でＹＥＳおよびＳ１６７でＹＥＳ）、他者変更メッセージ７０を通知する（Ｓ１６８）ので、設定項目に対する設定値の変更を受け付ける場合に有益な通知を実行することができる。
【００８６】
ＭＦＰ２０は、他者変更メッセージ７０を通知した後に利用者の指示に応じて設定値の変更の受け付けを中止する（Ｓ１６９でＹＥＳ）ので、他者による変更内容を利用者に優先させることができる。
【００８７】
ＭＦＰ２０は、他者から設定値の変更を受け付けた時刻に関する情報を図１２に示す「５分前に」のように他者変更メッセージ７０に含めるので、どの程度前の時間に他者から設定値の変更を受け付けたかを利用者に認識させることができる。したがって、ＭＦＰ２０は、他者変更メッセージ７０の有益性を向上させることができる。
【００８８】
ＭＦＰ２０は、通知対象時間の指定を受け付ける（Ｓ１３３）ので、他者変更メッセージ７０を通知するための条件を利用者に指示させることができる。したがって、ＭＦＰ２０は、他者変更メッセージ７０の有益性を向上させることができる。
【００８９】
（第２の実施の形態）
まず、第２の実施の形態に係る電子機器としてのＭＦＰの構成について説明する。
【００９０】
図１３は、本実施の形態に係るＭＦＰ１２０のブロック図である。
【００９１】
図１３に示すように、ＭＦＰ１２０は、ＭＦＰ２０（図２参照。）と同様に、操作部２１、表示部２２、スキャナー２３、プリンター２４、ファックス通信部２５、ネットワーク通信部２６、記憶部２７および制御部２８を備えている。
【００９２】
記憶部２７は、ＭＦＰ１２０の設定項目に対する設定値を変更する機器設定プログラム１２７ａを記憶している。機器設定プログラム１２７ａは、ＭＦＰ１２０の製造段階でＭＦＰ１２０にインストールされていても良いし、ＳＤカード、ＵＳＢメモリーなどの外部記憶媒体からＭＦＰ１２０に追加でインストールされても良いし、ネットワーク上からＭＦＰ１２０に追加でインストールされても良い。
【００９３】
記憶部２７は、ＭＦＰ２０と同様に、設定情報２７ｂおよび設定履歴情報２７ｃを記憶している。
【００９４】
また、記憶部２７は、利用者がログインした時点での設定情報としてのログイン時設定情報１２７ｂと、利用者のログアウト後に設定値を変更前の状態に戻すためのログアウト用情報１２７ｃとを記憶することが可能である。
【００９５】
制御部２８は、記憶部２７に記憶されている機器設定プログラム１２７ａを実行することによって、ＭＦＰ１２０の設定項目に対する設定値の変更を受け付ける設定変更受付手段１２８ａ、および、設定変更受付手段１２８ａによって受け付けられた変更の履歴を管理する履歴管理手段２８ｂとして機能する。
【００９６】
図１４は、ログイン時設定情報１２７ｂの一例を示す図である。
【００９７】
図１４に示すように、ログイン時設定情報１２７ｂは、設定情報２７ｂと同様の情報である。
【００９８】
図１５は、ログアウト用情報１２７ｃの一例を示す図である。
【００９９】
図１５に示すように、ログアウト用情報１２７ｃは、ＭＦＰ１２０の設定項目を示す情報である。
【０１００】
次に、ＭＦＰ１２０の動作について説明する。
【０１０１】
まず、利用者がログインする場合のＭＦＰ１２０の動作について説明する。
【０１０２】
図１６は、利用者がログインする場合のＭＦＰ１２０の動作のフローチャートである。
【０１０３】
利用者が操作部２１を介してログイン情報の受け付けをＭＦＰ１２０に要求すると、ＭＦＰ１２０の設定変更受付手段１２８ａは、図１６に示す動作を実行する。
【０１０４】
図１６に示すように、設定変更受付手段１２８ａは、ログイン情報を受け付けるためのログイン画面を表示部２２に表示させる（Ｓ２０１）。利用者は、ＭＦＰ１２０の操作部２１を介してログイン画面を操作することができる。
【０１０５】
設定変更受付手段１２８ａは、Ｓ２０１の処理の後、図５に示す動作と同様に、Ｓ１０２〜Ｓ１０５の処理を実行する。
【０１０６】
設定変更受付手段１２８ａは、Ｓ１０５の処理の後、設定情報２７ｂを複製してログイン時設定情報１２７ｂを生成し（Ｓ２０２）、図１６に示す動作を終了する。
【０１０７】
なお、ＭＦＰ１２０は、操作部２１を介してログインを要求してきた利用者に対してのみログインを許可する。すなわち、ＭＦＰ１２０は、同時期にログイン状態になることができる人数を１人のみに制限している。
【０１０８】
次に、他者変更メッセージの通知の設定を実行する場合のＭＦＰ１２０の動作について説明する。
【０１０９】
ＭＦＰ１２０は、他者変更メッセージの通知の設定を実行する場合、ネットワーク経由での指示ではなく操作部２１および表示部２２を利用した指示に応じて動作することを除いて、図７に示す動作と同様に動作する。
【０１１０】
次に、設定値の変更を受け付ける場合のＭＦＰ１２０の動作について説明する。
【０１１１】
図１７は、設定値の変更を受け付ける場合のＭＦＰ１２０の動作のフローチャートである。
【０１１２】
利用者が操作部２１を介してＭＦＰ１２０の何れかの設定項目に対する設定値の変更の受け付けをＭＦＰ１２０に要求すると、ＭＦＰ１２０の設定変更受付手段１２８ａは、図１７に示す動作を実行する。
【０１１３】
図１７に示すように、設定変更受付手段１２８ａは、指定された設定項目に対する設定値の変更を受け付けるための設定画面を表示部２２に表示させる（Ｓ２６１）。利用者は、操作部２１を介して設定画面を操作することができる。
【０１１４】
設定変更受付手段１２８ａは、Ｓ２６１の処理の後、図９に示す動作と同様に、Ｓ１６２〜Ｓ１７０の処理を実行する。なお、Ｓ１６８における他者変更メッセージ７０は、表示部２２に表示され、操作部２１を介して指示が入力される。
【０１１５】
設定変更受付手段１２８ａは、他者変更メッセージ７０のＯＫボタン７１が押されたとＳ１７０において判断すると、ログアウト後に設定を戻すか否かの指示を受け付けるための図１８に示す設定変更メッセージ２７０を表示部２２における表示によって通知する（Ｓ２６２）。
【０１１６】
図１８に示す設定変更メッセージ２７０には、設定値を利用者のログアウト後に変更前の状態に戻す指示を受け付けるためのＯＫボタン２７１と、設定値を利用者のログアウト後に変更前の状態に戻さない指示を受け付けるためのキャンセルボタン２７２とが含まれている。利用者は、操作部２１を介してＯＫボタン２７１またはキャンセルボタン２７２を押すことができる。
【０１１７】
図１７に示すように、設定変更受付手段１２８ａは、Ｓ２６２の処理の後、設定変更メッセージ２７０のキャンセルボタン２７２が押されたか否かを判断する（Ｓ２６３）。
【０１１８】
設定変更受付手段１２８ａは、キャンセルボタン２７２が押されていないとＳ２６３において判断すると、設定変更メッセージ２７０のＯＫボタン２７１が押されたか否かを判断する（Ｓ２６４）。
【０１１９】
設定変更受付手段１２８ａは、ＯＫボタン２７１が押されていないとＳ２６４において判断すると、Ｓ２６３の処理を実行する。
【０１２０】
設定変更受付手段１２８ａは、ＯＫボタン２７１が押されたとＳ２６４において判断すると、ログアウト用情報１２７ｃを更新する（Ｓ２６５）。具体的には、設定変更受付手段１２８ａは、設定値が変更される設定項目がログアウト用情報１２７ｃに含まれていない場合に、設定値が変更される設定項目をログアウト用情報１２７ｃに含める。なお、設定変更受付手段１２８ａは、ログイン後に初めてＳ２６５の処理を実行する場合に、空のログアウト用情報１２７ｃを生成してからＳ２６５の処理を実行する。
【０１２１】
設定変更受付手段１２８ａは、他者変更メッセージを通知することが設定されていないとＳ１６５において判断するか、他者による設定値の変更が受け付けられている設定項目が存在しないとＳ１６６において判断するか、通知対象時間以内に設定値の変更が受け付けられている設定項目が存在しないとＳ１６７において判断するか、設定変更メッセージ２７０のキャンセルボタン２７２が押されたとＳ２６３において判断するか、Ｓ２６５の処理を実行すると、設定値の変更を設定情報２７ｂに反映する（Ｓ１７１）。
【０１２２】
次いで、履歴管理手段２８ｂは、Ｓ１７１において反映された変更内容を設定履歴情報２７ｃに反映させて（Ｓ１７２）、図１７に示す動作を終了する。
【０１２３】
次に、利用者がログアウトする場合のＭＦＰ１２０の動作について説明する。
【０１２４】
図１９は、利用者がログアウトする場合のＭＦＰ１２０の動作のフローチャートである。
【０１２５】
利用者が操作部２１を介してログアウトをＭＦＰ１２０に要求すると、ＭＦＰ１２０の設定変更受付手段１２８ａは、図１９に示す動作を実行する。
【０１２６】
図１９に示すように、設定変更受付手段１２８ａは、ログアウト用情報１２７ｃに設定項目が含まれるか否かを判断する（Ｓ２９１）。
【０１２７】
設定変更受付手段１２８ａは、ログアウト用情報１２７ｃに設定項目が含まれるとＳ２９１において判断すると、ログアウト用情報１２７ｃに含まれる設定項目について、設定情報２７ｂにおける設定値を、ログイン時設定情報１２７ｂにおける設定値に変更することによって、設定情報２７ｂを更新する（Ｓ２９２）。
【０１２８】
設定変更受付手段１２８ａは、ログアウト用情報１２７ｃに設定項目が含まれないとＳ２９１において判断するか、Ｓ２９２の処理を実行すると、利用者のログアウトを実行して（Ｓ２９３）、図１９に示す動作を終了する。
【０１２９】
以上に説明したように、ＭＦＰ１２０は、利用者から設定値の変更を受け付ける場合に、受け付ける変更の対象の設定項目と同一の設定項目に対する設定値の他者による変更が通知対象時間以内に受け付けられているとき（Ｓ１６６でＹＥＳおよびＳ１６７でＹＥＳ）、他者変更メッセージ７０を通知する（Ｓ１６８）ので、設定項目に対する設定値の変更を受け付ける場合に有益な通知を実行することができる。
【０１３０】
ＭＦＰ１２０は、他者変更メッセージ７０を通知した後に利用者の指示に応じて設定値の変更の受け付けを中止する（Ｓ１６９でＹＥＳ）ので、他者による変更内容を利用者に優先させることができる。
【０１３１】
ＭＦＰ１２０は、他者から設定値の変更を受け付けた時刻に関する情報を図１２に示す「５分前に」のように他者変更メッセージ７０に含めるので、どの程度前の時間に他者から設定値の変更を受け付けたかを利用者に認識させることができる。したがって、ＭＦＰ１２０は、他者変更メッセージ７０の有益性を向上させることができる。
【０１３２】
ＭＦＰ１２０は、通知対象時間の指定を受け付けるので、他者変更メッセージ７０を通知するための条件を利用者に指示させることができる。したがって、ＭＦＰ１２０は、他者変更メッセージ７０の有益性を向上させることができる。
【０１３３】
ＭＦＰ１２０は、変更前の状態に戻す指示を受け付けた場合に（Ｓ２６４でＹＥＳ）、利用者のログアウト後に設定値を変更前の状態に戻し（Ｓ２９２）、変更前の状態に戻さない指示を受け付けた場合に（Ｓ２６３でＹＥＳ）、利用者のログアウト前後で設定値を維持する（Ｓ２９１でＮＯ）。この構成により、ＭＦＰ１２０は、利用者から設定値の変更を受け付ける場合に、利用者の指示に応じて利用者のログアウト後に設定値を変更前の状態に戻すので、利用者のログアウト後の他者による設定値の再変更の必要性を低減することができる。
【０１３４】
なお、ＭＦＰ１２０は、本実施の形態において、他者変更メッセージ７０のＯＫボタン７１が押された場合に設定変更メッセージ２７０を表示し、設定変更メッセージ２７０のＯＫボタン２７１が押されたときに、利用者のログアウト後に設定値を変更前の状態に戻す。しかしながら、ＭＦＰ１２０は、他者変更メッセージ７０のＯＫボタン７１が押された場合に、設定変更メッセージ２７０を表示させずに利用者のログアウト後に設定値を変更前の状態に戻しても良い。すなわち、ＭＦＰ１２０は、他者変更メッセージ７０のＯＫボタン７１が押された場合に設定変更メッセージ２７０を表示させる図１７に示す動作に代えて、他者変更メッセージ７０のＯＫボタン７１が押された場合に設定変更メッセージ２７０を表示させない図２０に示す動作を実行しても良い。この構成により、ＭＦＰ１２０は、設定値の変更の受け付けを続行する指示に基づいて設定値の変更を受け付けた（Ｓ１７０でＹＥＳおよびＳ１７１）場合に、利用者のログアウト後に設定値を変更前の状態に戻す（Ｓ２９２）ので、利用者のログアウト後の他者による設定値の再変更の必要性を低減することができる。
【０１３５】
ＭＦＰ１２０は、本実施の形態において、設定値が変更される設定項目に、現時点より過去の通知対象時間以内に他者による設定値の変更が受け付けられている設定項目が存在する場合に、設定変更メッセージ２７０を表示する。しかしながら、ＭＦＰ１２０は、設定値が変更される設定項目に、利用者自身による設定値の変更が受け付けられている設定項目のみが存在する場合にも、設定変更メッセージ２７０を表示しても良い。また、ＭＦＰ１２０は、設定値が変更される設定項目に、他者による設定値の変更が受け付けられている設定項目が存在する場合に、他者による設定値の変更が受け付けられた時期に関わらず、設定変更メッセージ２７０を表示しても良い。
【０１３６】
本発明の電子機器は、上述した各実施の形態においてＭＦＰであるが、コピー専用機、プリンター専用機、ＦＡＸ専用機、スキャナー専用機など、ＭＦＰ以外の画像形成装置であっても良いし、ＰＣ（Ｐｅｒｓｏｎａｌ  Ｃｏｍｐｕｔｅｒ）など、画像形成装置以外の電子機器であっても良い。
【符号の説明】
【０１３７】
２０  ＭＦＰ（電子機器）
２７ａ  機器設定プログラム
２８ａ  設定変更受付手段
２８ｂ  履歴管理手段
７０  他者変更メッセージ
１２０  ＭＦＰ（電子機器）
１２７ａ  機器設定プログラム
１２８ａ  設定変更受付手段
【図１】
2017016300.tif 000003
【図２】
2017016300.tif 000004
【図３】
2017016300.tif 000005
【図４】
2017016300.tif 000006
【図５】
2017016300.tif 000007
【図６】
2017016300.tif 000008
【図７】
2017016300.tif 000009
【図８】
2017016300.tif 000010
【図９】
2017016300.tif 000011
【図１０】
2017016300.tif 000012
【図１１】
2017016300.tif 000013
【図１２】
2017016300.tif 000014
【図１３】
2017016300.tif 000015
【図１４】
2017016300.tif 000016
【図１５】
2017016300.tif 000017
【図１６】
2017016300.tif 000018
【図１７】
2017016300.tif 000019
【図１８】
2017016300.tif 000020
【図１９】
2017016300.tif 000021
【図２０】
2017016300.tif 000022